(57)【要約】      （修正有）【課題】構成の簡略化を図って、試験が容易にできるようにした。【解決手段】試験装置１Mは、主保護装置２側に設置され、試験装置１Sは、端末装置３側に設置される。主保護装置２と端末装置３との間は、伝送系となる光ファイバーケーブル４で接続する。押しボタンスイッチ５は、同時故障入力を主保護装置２にトリガＩＮに入力する。端末装置３のオシロ出力（リレー動作信号）は、直流電圧計６に供給される。試験装置１M、１Sを用いてリレーの対向試験（時間特性試験）を行なう場合、トリガＩＮから同時故障入力を、伝送系の光ファイバーケーブル４を介して主保護装置２と端末装置３に送信する。すると、主保護装置２と端末装置３は、試験装置１M，１Sに対してトリガＯＵＴの信号を同時出力し、状変信号として供給する。【選択図】図１
2009165324.tif 000002
【特許請求の範囲】
【請求項１】
主保護装置と端末装置とを伝送系で接続し、両装置には、それぞれ各別に試験装置を設け、トリガを、伝送系を介して主保護装置と端末装置に送信し、主保護装置、端末装置が各試験装置に対してトリガＯＵＴの信号を同時出力して状変信号を出し、リレーの動作状況を把握するＰＣＭ電流差動継電装置における対向試験方法において、
時間特性試験、動作値特性試験の際に、主保護装置と試験装置間のトリガＯＵＴ、オシロ出力は接続したままで、電圧入力を試験装置から主保護装置に与えて試験を行ない、
端末装置と試験装置間ではトリガＯＵＴを端末装置から試験装置に与え、電流入力を試験装置から端末装置に与え、端末装置からのオシロ出力を直流電圧計に与えるようにしたことを特徴とするＰＣＭ電流差動継電装置における対向試験方法。
【発明の詳細な説明】
【技術分野】
【０００１】
本発明は、ＰＣＭ電流差動継電装置の他装置継電情報を取り込み、信頼性を向上させるＰＣＭ電流差動継電装置の納入後における対向試験方法に関するものである。
【背景技術】
【０００２】
ＰＣＭ電流差動継電装置は、電源変電所にリレー演算機能を収納した主保護装置を、また、負荷変電所（需要家）に電流情報等を収集する端末装置をそれぞれ設置し、各装置間は、光ファイバケーブルにより接続して情報の授受を行なう構成としている。このため、装置納入後、現地で確認試験を行なうことになる。各装置間は、一般に距離が離れた場所に設置される。このため、動作確認試験を行なうには、試験装置が各装置に接続される。
【０００３】
一般に、電力系統の一端流入事故を想定して試験を行なう場合、主検出リレーである電流差動リレーは、電源端と負荷端の二つの計測用変流器からの電流情報を用いるため、電源側と負荷側の２通りの試験が必要になる。
【０００４】
リレー単体の試験項目において、動作値・復帰値を計測する場合、主保護装置である電源側では、リレー機能を収納しているため、リレー単体の動作状況を把握することは容易である。
【０００５】
逆に、端末装置のある負荷側には、リレー機能が存在しないため、リレー単体の動作状況を把握するためには、主保護装置でのリレー動作情報を伝送系に全て載せる必要がある。
【０００６】
一般に、この種の保護装置では、複数の負荷変電所に対応可能とするため、収納しているリレーの数も多く、限られた伝送フォーマット上に全てを載せることは、通常の保護機能を制約する懸念があり、実用性の点で問題がある。
【特許文献１】特開平１０−０１４０９１号公報
【発明の開示】
【発明が解決しようとする課題】
【０００７】
ところで、主検出リレーを用いている電流差動リレー方式は、その動作原理上、使用する電流情報の同時性を要求される。そのため、図３に示す時間特性試験（模擬的に事故を発生し、事故から遮断指令までの時間が規定値以内であることを確認する試験）のように、無歪試験器などからなる試験装置１１M、１１Sを用いてリレーの対向試験を行なう場合、１つのトリガＩＮ（主保護装置１２に内蔵）を、伝送系（光ファイバーケーブル１４）を介して主保護装置１２と端末装置１３に送信し、両装置１２，１３が試験装置１１M，１１Sに対してトリガＯＵＴの信号を同時出力し、状変信号としている。トリガＩＮの押しボタンを「ＯＮ」すると、試験装置１１M，１１Sの双方が同時に正常モード、故障モードに切り替わる。
【０００８】
上記の機能を利用して、リレーの動作状況を端末装置１３側で把握する。端末装置１３側で試験電流を入力し、動作値に達した場合、主保護装置１２に収納されているリレー単体が動作する。この動作情報は、主保護装置１２のオシロ出力を主保護装置１２のトリガＩＮに入力することにより、端末装置１３側にトリガＯＵＴの出力が送出され、リレーが動作したことが把握できる。
【０００９】
図４は、動作値特性試験（実運用整定値の値「規定値内の値」でリレーが動作することを確認する試験）の回路構成図で、図４においては、主保護装置１２から試験装置１１Mに接続されている急変信号線（トリガＯＵＴ）とリレー動作信号線（オシロ出力）を取り外し、リレー動作信号線は、後述する治具試験器１５を介してトリガＩＮに接続される。なお、この治具試験器１５では、リレー動作信号が急変信号に変換されてトリガＩＮに供給される。
【００１０】
また、端末装置１３から試験装置１１Ｓに接続されている急変信号線（トリガＯＵＴ）も取り外してその急変信号線に電圧計１６を接続し、その電圧計１６でリレー動作信号を検出する。上記のように試験装置１１M，１１Sから急変信号線を取り外さないと、リレーが動作限界点になった時に、試験装置１１M，１１Sが正常モードと故障モードでチャタリングを起こすからである。
【００１１】
図５は、主保護装置１２のオシロ出力部とトリガＩＮ入力部、治具試験器１５の構成図で、治具試験器１５は、電流制限抵抗（図５では３．３ｋΩ）とフォトカプラＰＨ１から構成され、ここで、入力電圧ロジックレベルを反転して出力される。ＰＨ２は、リレー動作信号が入力されるフォトカプラであり、ＰＨ３は、同時急変信号が出力されるフォトカプラである。
【００１２】
図５において、リレー動作した場合、フォトカプラＰＨ２内のホトトランジスタがオンし、図５のＰ２４より若干低い電圧がリレー動作信号としてオシロ出力部より出力される。治具試験器１５に印加されると、フォトカプラＰＨ１内のＬＥＤが発光し、フォトカプラＰＨ１内のホトトランジスタがオンとなるので、急変信号がフォトカプラＰＨ３より出力されてトリガＩＮから主保護装置１２を経て端末装置１３に送られる。
【００１３】
上記のように時間特性試験、動作値特性試験毎に、試験装置の接続を変更したり、治具試験器を接続したり、取り外したりする作業を行なわなければならず、作業工程に無駄が多かった。
【００１４】
本発明は、上記の事情に鑑みてなされたもので、構成の簡略化を図って、試験が容易にできるようにしたＰＣＭ電流差動継電装置における対向試験方法を提供することを課題とする。
【課題を解決するための手段】
【００１５】
本発明は、上記の課題を達成するために、主保護装置と端末装置とを伝送系で接続し、両装置には、それぞれ各別に試験装置を設け、トリガを、伝送系を介して主保護装置と端末装置に送信し、主保護装置、端末装置が各試験装置に対してトリガＯＵＴの信号を同時出力して状変信号を出し、リレーの動作状況を把握するＰＣＭ電流差動継電装置における対向試験方法において、
時間特性試験、動作値特性試験の際に、主保護装置と試験装置間のトリガＯＵＴ、オシロ出力は接続したままで、電圧入力を試験装置から主保護装置に与えて試験を行ない、
端末装置と試験装置間ではトリガＯＵＴを端末装置から試験装置に与え、電流入力を試験装置から端末装置に与え、端末装置からのオシロ出力を直流電圧計に与えるようにしたことを特徴とする。
【発明の効果】
【００１６】
本発明によれば、ＰＣＭ電流差動継電装置などを設置納入後に、現地での動作確認試験が、治具などを使用しないで、しかも配線などの変更も行なわずに容易にできるようにした。
【発明を実施するための最良の形態】
【００１７】
以下本発明の実施の形態を図面に基づいて説明する。図１は本発明の実施の形態を示す試験回路構成図、図２はその試験回路の処理フロー図であり、図１において、試験装置１Mは、主保護装置２側に設置され、試験装置１Sは、端末装置３側に設置される。主保護装置２と端末装置３との間は、伝送系となる光ファイバーケーブル４で接続する。押しボタンスイッチ５は、同時故障入力を主保護装置２にトリガＩＮに入力する。端末装置３のオシロ出力（リレー動作信号）は、直流電圧計６に供給される。
【００１８】
上記実施の形態の試験回路の動作を図２により述べる。試験装置１M、１Sを用いてリレーの対向試験（時間特性試験）を行なう場合、トリガＩＮから同時故障入力を、伝送系の光ファイバーケーブル４を介して主保護装置２と端末装置３に送信する。すると、主保護装置２と端末装置３は、試験装置１M，１Sに対してトリガＯＵＴの信号を同時出力し、試験装置１M，１Sに状変信号を供給する。
【００１９】
上記の機能を利用することにより、リレーの動作状況が、端末装置３側で把握される。試験装置１Sから端末装置３側に試験電流が入力され、動作値に達した場合、主保護装置２に収納されているリレー単体が動作する。この動作情報は、主保護装置２のオシロ出力が、試験装置１Mに入力されると、試験装置１Mから電圧入力が主保護装置２に入力される。これにより、端末装置３から試験装置１Sに対してトリガＯＵＴの出力が送出され、リレーが動作したことが把握できる。
【００２０】
また、動作値特性試験は、端末装置３から出力されるオシロ出力を直流電圧計６により、リレー動作信号を検出する。この場合の試験においても、主保護装置２から試験装置１Mに接続されている急変信号線（トリガＯＵＴ）とリレー動作信号線（オシロ出力）を取り外したりすることなく行なうことができる。
【００２１】
なお、本発明の実施の形態では、ＰＣＭ電流差動継電装置について述べてきたが、環線系統保護継電装置にも適用可能である。
【図面の簡単な説明】
【００２２】
【図１】本発明の実施の形態を示す試験回路構成図。
【図２】試験回路の動作処理フロー図。
【図３】時間特性試験の回路構成図。
【図４】動作値特性試験の回路構成図。
【図５】治具試験器の構成図。
【符号の説明】
【００２３】
１M，１S…試験装置
２…主保護装置
３…端末装置
４…光ファイバーケーブル
５…押しボタンスイッチ
６…直流電圧計
【図１】
2009165324.tif 000003
【図２】
2009165324.tif 000004
【図３】
2009165324.tif 000005
【図４】
2009165324.tif 000006
【図５】
2009165324.tif 000007